(57)【特許請求の範囲】
【請求項１】
左右に所定の間隔をもって立設された陳列棚側板の前面下端部にベース棚側板を取り付け、左右のベース棚側板の上面間に、左右方向を向く連結部材を、その側端が前記ベース棚側板の上面の左右方向の幅の中間に位置するようにして架設するとともに、前記左右のベース棚側板の上端間に、下面が開口するベース棚天板を、その内側面が前記連結部材の前後左右の側面に当接するようにして架設し、前記ベース棚天板の側端面に、左右方向の幅を、前記ベース棚側板の上面におけるベース棚天板の載置部分を除く部分の左右方向の幅と同一とした前後方向を向くエンドカバーを、着脱自在に装着したことを特徴とする陳列棚におけるベース棚。
【請求項２】
ベース棚天板の側端面に係止孔を穿設し、エンドカバーの内側面に、前記係止孔の前縁に係合する前方を向く係止爪を設け、かつエンドカバーの後端を陳列棚側板の前面に当接させた請求項１記載の陳列棚におけるベース棚。
【発明の詳細な説明】
【０００１】
【発明の属する技術分野】
本発明は、陳列棚におけるベース棚に関する。
【０００２】
【従来の技術】
陳列棚の下端部にベース棚を取り付けたものの従来例としては、特許第２７５５１６５号公報に記載されているものがある。
【０００３】
この陳列棚は、垂直の背面パネルの前面に、前向きの複数の側板を左右方向に離間して取り付けるとともに、隣り合う側板の下端部間にベース棚としての平台を設け、各平台の上部に水平な平台天板を取り付けている。
【０００４】
【発明が解決しようとする課題】
しかし、上述の陳列棚では、側端部に位置する平台天板の外側縁が、側端部に位置する側板の外側面よりも内側で終端しているので、平台天板の外側面と側板の外側面との間に段差が生じて、見栄えがよくなく、また平台の外側面を壁面に当接させて使用する場合に、平台天板と壁面との間に隙間が生じ、この隙間に、平台天板上の商品が落ち込むおそれがある。
【０００５】
本発明は、従来の技術が有する上記のような問題点に鑑みてなされたもので、ベース棚の外観を向上させるとともに、ベース棚の側面を壁面に当接させて陳列棚を設置した場合に、ベース棚の上面の側部と壁面との間に隙間が生じないようにし、かつ簡単に組み立てでき、エンドカバーが妄りに脱落しないようにした陳列棚におけるベース棚を提供することを目的としている。
【０００６】
【課題を解決するための手段】
本発明によると、上記課題は、次のようにして解決される。
(１) 左右に所定の間隔をもって立設された陳列棚側板の前面下端部にベース棚側板を取り付け、左右のベース棚側板の上面間に、左右方向を向く連結部材を、その側端が前記ベース棚側板の上面の左右方向の幅の中間に位置するようにして架設するとともに、前記左右のベース棚側板の上端間に、下面が開口するベース棚天板を、その内側面が前記連結部材の前後左右の側面に当接するようにして架設し、前記ベース棚天板の側端面に、左右方向の幅を、前記ベース棚側板の上面におけるベース棚天板の載置部分を除く部分の左右方向の幅と同一とした前後方向を向くエンドカバーを、着脱自在に装着する。
【０００７】
(２) 上記(１)項において、ベース棚天板の側端面に係止孔を穿設し、エンドカバーの内側面に、前記係止孔の前縁に係合する前方を向く係止爪を設け、かつエンドカバーの後端を陳列棚側板の前面に当接させる。
【０００８】
【発明の実施の形態】
以下、本発明の一実施形態を備える陳列棚(１)について、添付図面を参照しながら説明する。
【０００９】
陳列棚本体(２)は、左右１対の上下方向を向く陳列棚側板(３)の後端部同士を、上下方向を向く背板(４)で塞いだものよりなっている。
【００１０】
左右の陳列棚側板(３)の前面下端部には、前向きのベース棚側板(５)が係止され、左右のベース棚側板(５)の上面間には、前後１対の断面形状がハット形をなす連結部材(６)が架設されており、連結部材(６)の左右の両端部はベース棚側板(５)の上面にねじ止めされている。
図４に示すように、連結部材(６)の側端は、ベース棚側板(５)の上面の左右方向のほぼ中央部で終端している。
【００１１】
(７)は、平面視方形をなすとともに、後述するように左右のベース棚側板(５)の上面間に架設されるベース棚天板である。
ベース棚天板(７)と同じ前後長をなす左右１対のエンドカバー(８)(８)の内側面の前後２箇所には、前向きＬ字形の係止爪(９)が突設されており、この係止爪(９)をベース棚天板(７)の左右両側端面に穿設された係止孔(10)の前縁に係合させることにより、ベース棚天板(７)の両側端にエンドカバー(８)が取り付けられている。
【００１２】
この実施形態においては、ベース棚天板(７)の左右の側端面が、各ベース棚側板(５)の上面の左右方向の幅のほぼ中央に位置するようにし、かつエンドカバー(８)の左右方向の幅を、ベース棚側板(５)の上面の左右方向の幅のほぼ１／２としてある。
【００１３】
なお、ベース棚天板(７)の側端面が、ベース棚側板(５)の上面の中央から左右いずれかに偏って位置する場合には、エンドカバー(８)の左右方向の幅は、ベース棚側板(５)の上面におけるベース棚天板(７)の載置部分を除く部分の左右方向の幅と同一とするのがよい。
【００１４】
エンドカバー(８)の前後長及び高さは、ベース棚天板(７)のものと同一としてあるので、エンドカバー(８)をベース棚天板(７)に取り付けると、両部材(７)(８)の上面と後面と前面は全て同一面となる(図１、図４参照)。
【００１５】
ベース棚天板(７)にエンドカバー(８)を取り付けた後、ベース棚天板(７)を、前後の連結部材(６)を覆うようにして、左右のベース棚側板(５)の上面間に架設すると、エンドカバー(８)の外側面が、ベース棚側板(５)の外側面と整合する(図４参照)とともに、エンドカバー(８)の後端が陳列棚側板(３)の前面に当接する(図３参照)。
【００１６】
最後に、左右のベース棚側板(５)の前面に穿設されただるま孔(11)に、前面板(12)の裏面の側縁部に突設された係合部材(13)を係合して、左右のベース棚側板(５)の前面間に前面板(12)を取り付けると、ベース棚(14)が完成する。
【００１７】
この実施形態によれば、ベース棚(14)の上面の両側部をなすエンドカバー(８)の外側面が、ベース棚側板(５)の外側面と同一面となるので、ベース棚(14)の外観が向上するとともに、ベース棚側板(５)を壁面(図示略)に当接して陳列棚(１)を設置した場合には、エンドカバー(８)の外側面が壁面に当接し、ベース棚天板(７)に載置した商品(図示略)が、ベース棚天板(７)と壁面との間に落ち込むのが防止される。
【００１８】
また、エンドカバー(８)を、ベース棚天板(７)に取り付けた状態で、ベース棚天板(７)をベース棚側板(５)間に架設すると、前向きの係止爪(９)が係止孔(10)の前縁に係合した状態で、エンドカバー(８)の後端面が陳列棚側板(３)の前面に当接し、エンドカバー(８)の前後方向への移動が規制され、エンドカバー(８)はベース棚天板(７)から外れなくなる。
【００１９】
さらに、ベース棚天板(７)をベース棚側板(５)に架設したとき、図３に示すように、ベース棚天板(７)の前後の折り返し部(8a)が前後の連結部材(６)の前端部及び後端部に当接し、かつ、図４に示すように、ベース棚天板(７)の左右の側片(7a)が連結部材(６)の左右両端面に当接するので、ベース棚天板(７)が前後及び左右方向に妄りに動くことはない。
【００２０】
なお、３個以上の陳列棚側板(３)を左右方向に等間隔に並べて立設し、それらの間を、上述したのと同様の構成をもって連結して、左右方向に長い陳列棚を形成する場合には、中間の陳列棚側板(３)に装着するベース棚側板(５)の上面の中央において、左右のベース棚天板(７)(７)の側端同士を突き合せて載置し、最も外側のベース棚側板(５)の上面の中央において、ベース棚天板(７)の側端とエンドカバー(８)の内側面とを密接させて載置すれば、２個のエンドカバー(８)と必要数の同寸のベース棚天板(７)とを用意するだけで、ベース棚天板(７)(７)間に隙間を形成することなく、左右方向に長い陳列棚を形成することができる。
【００２１】
【発明の効果】
本発明によれば、次のような効果を奏することができる。
(Ａ) 請求項１記載の発明によると、ベース棚天板の側端面に装着したエンドカバーが、ベース棚側板の外側面と同一面となるので、ベース棚の外観が向上するとともに、ベース棚側板を壁面に当接して陳列棚を設置した場合には、エンドカバーの外側面が壁面に当接し、ベース棚天板に載置した商品が、ベース棚天板と壁面との間に落ち込むのが防止される。
【００２２】
(Ｂ) 請求項２記載の発明によると、エンドカバーに設けた前向きの係止爪がベース棚側板の係止孔の前縁に係合するとともに、エンドカバーの後端が陳列棚側板の前面に当接するので、エンドカバーの前後方向への移動が規制され、エンドカバーがベース棚天板から脱落するのが防止される。
【図面の簡単な説明】
【図１】  本発明の一実施形態を備える陳列棚の外観斜視図である。
【図２】  同じく、陳列棚の一部を省略した拡大分解斜視図である。
【図３】  同じく、要部の拡大縦断側面図である。
【図４】  同じく、図３のIV−IV線に沿う縦断正面図である。
【符号の説明】
(１)陳列棚
(２)陳列棚本体
(３)陳列棚側板
(４)背板
(５)ベース棚側板
(６)連結部材
(７)ベース棚天板
(7a)側片
(８)エンドカバー
(8a)折り掛けし片
(９)係止爪(係止部材)
(10)係止孔
(11)だるま孔
(12)前面板
(13)係合部材
(14)ベース棚
【図１】
0004520565.tif 000002
【図２】
0004520565.tif 000003
【図３】
0004520565.tif 000004
【図４】
0004520565.tif 000005